(57)【要約】【課題】ＡＶサーバーに蓄積された素材を、ＡＶサーバーの入出力ポートの数に制約されずに複数台の編集端末で同時並行的に参照できるようにするとともに、ＡＶサーバーに蓄積された素材を編集端末で参照する際の待ち時間を短くする。【課題手段】ＡＶサーバー１と同じＡＶデータをＡＶサーバー１よりも高い圧縮率で圧縮して蓄積するＡＶサーバー２と、ＡＶサーバー１内の記録手段よりも高速アクセスが可能であり編集端末３（１）〜３（Ｎ）に接続された記録装置４（１）〜４（Ｎ）とを備え、各編集端末３（１）〜３（Ｎ）に、ＡＶサーバー２からＡＶデータを参照する手段と、参照したＡＶデータの中から編集に必要な部分が決定されたことに基づき、決定された部分のＡＶデータをＡＶサーバー１からこの記録装置４（１）〜４（Ｎ）に転送することを要求する手段と、記録装置４（１）〜４（Ｎ）からＡＶデータを参照する手段とを設ける。【選択図】            図１
2004173200.tif 000002
【特許請求の範囲】
【請求項１】
ＡＶサーバーに蓄積されたＡＶデータを複数台の編集端末で参照するためのシステムにおいて、
前記ＡＶサーバーと同じＡＶデータを前記ＡＶサーバーよりも高い圧縮率で圧縮して蓄積する第２のＡＶサーバーと、
前記ＡＶサーバー内の記録手段よりも高速アクセスが可能であり、前記編集端末に接続された記録装置と
を備え、
各々の前記編集端末は、
前記第２のＡＶサーバーからＡＶデータを参照する第１の処理手段と、
前記第１の処理手段によって参照したＡＶデータの中から編集に必要な部分が決定されたことに基づき、該決定された部分のＡＶデータを前記ＡＶサーバーから前記記録装置に転送することを要求する第２の処理手段と、
前記記録装置からＡＶデータを参照する第３の処理手段と
を有することを特徴とするＡＶサーバーに蓄積されたＡＶデータの参照システム。
【請求項２】
請求項１に記載のＡＶサーバーに蓄積されたＡＶデータの参照システムにおいて、
前記記録装置は、複数のファイバーチャンネルのポートを有しており、
前記記録装置に接続されるとともに前記ＡＶサーバーに接続されており、前記編集端末の前記第２の処理手段からの要求に基づき、前記ＡＶサーバーから前記記録装置にＡＶデータを転送させるゲートウェイ端末
をさらに備え、
各々の前記編集端末の前記第２の処理手段は、前記ゲーウェイ端末に対して要求を送る
ことを特徴とするＡＶサーバーに蓄積されたＡＶデータの参照システム。
【請求項３】
請求項２に記載のＡＶサーバーに蓄積されたＡＶデータの参照システムにおいて、
前記ゲートウェイ端末は、前記記録装置がＡＶデータを書き込むファイルに、該ファイルのうちＡＶデータを書込み済みの部分を示す情報を記録させ、
各々の前記編集端末の前記第３の処理手段は、前記ファイルのうち前記情報で示された部分のＡＶデータを参照する
ことを特徴とするＡＶサーバーに蓄積されたＡＶデータの参照システム。
【請求項４】
ＡＶサーバーに蓄積されたＡＶデータを複数台の編集端末で参照する方法において、
各々の前記編集端末が、前記ＡＶサーバーと同じＡＶデータを前記ＡＶサーバーよりも高い圧縮率で圧縮して蓄積した第２のＡＶサーバーからＡＶデータを参照する第１のステップと、
各々の前記編集端末が、前記第１のステップで参照したＡＶデータの中から編集に必要な部分が決定されたことに基づき、該決定された部分のＡＶデータを、前記ＡＶサーバーから、前記ＡＶサーバー内の記録手段よりも高速アクセスが可能であり前記編集端末に接続された記録装置に転送することを要求する第２のステップと、
各々の前記編集端末が、前記記録装置からＡＶデータを参照する第３のステップと
を有することを特徴とするＡＶサーバーに蓄積されたＡＶデータの参照方法。
【請求項５】
請求項４に記載のＡＶサーバーに蓄積されたＡＶデータの参照方法において、
前記第２のステップで、各々の前記編集端末が、複数のファイバーチャンネルのポートを有する前記記録装置に接続さるとともに前記ＡＶサーバーに接続されたゲートウェイ端末に要求を送り、
前記ゲートウェイ端末が、前記編集端末からの要求に基づき、前記ＡＶサーバー前記記録装置にＡＶデータを転送させるステップ
をさらに有することを特徴とするＡＶサーバーに蓄積されたＡＶデータの参照方法。
【請求項６】
請求項５に記載のＡＶサーバーに蓄積されたＡＶデータの参照方法において、
前記ゲートウェイ端末が、前記記録装置がＡＶデータを書き込むファイルに、該ファイルのうちＡＶデータを書込み済みの部分を示す情報を記録させるステップ
をさらに有し、
前記第３のステップで、前記ファイルのうち前記情報で示された部分のＡＶデータを参照する
ことを特徴とするＡＶサーバーに蓄積されたＡＶデータの参照方法。
【発明の詳細な説明】
【０００１】
【発明の属する技術分野】
本発明は、ＡＶサーバーに蓄積された素材を複数台の編集端末が参照するためのシステム及び方法に関する。
【０００２】
【従来の技術】
今日、放送局では、素材であるＡＶ（Ａｕｄｉｏ  ａｎｄ／ｏｒ  Ｖｉｄｅｏ）データを、大容量のＡＶサーバーに蓄積することが一般的になっている。
【０００３】
ＡＶサーバーは、一般に、複数台のハードディスクドライブを用いて構成したＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ  ）を有するとともに、ＳＤＩ（Ｓｅｒｉａｌ  Ｄｉｇｉｔａｌ  Ｉｎｔｅｒｆａｃｅ）ポートのような入出力ポートを複数有している。
【０００４】
外部（放送局内のＶＴＲや、放送局と広域ネットワークで結ばれた取材現場のビデオカメラ等）からＡＶサーバーに送られたＡＶデータは、それぞれいずれかの入出力ポートに入力されて、その入出力ポートで圧縮処理等を施される。そして、その入出力ポートからＲＡＩＤに送られて、ＲＡＩＤに記録される。
【０００５】
また、ＲＡＩＤから読み出されていずれかの入出力ポートに送られたＡＶデータは、その入出力ポートで伸長処理等を施される。そして、その入出力ポートから出力されて、ＡＶサーバーから外部（オンエア用サーバーやバックアップ用サーバー等）に送られる。
【０００６】
ところで、放送局では、ＡＶサーバーに蓄積された素材をオンエア時にそのまま送出するのではなく、その素材を編集端末（ノンリニア編集機）で編集し、その編集結果（いわゆる「完パケ」）を送出するのが通常である。
【０００７】
従来、ＡＶサーバーに蓄積された素材を編集のために編集端末で参照（読出し）する方法としては、例えば、ＡＶサーバーの入出力ポートと編集端末とを１対１に対応させて接続し、その接続した入出力ポートを介してＡＶサーバーから直接素材を参照するという方法を採っていた（例えば、特許文献１参照。）。
【０００８】
【特許文献１】
特開平８−２２１９５１号公報（段落番号０００３〜０００６、図３）
【０００９】
【発明が解決しようとする課題】
しかし、この方法には、ＡＶサーバーの入出力ポートと編集端末とを１対１に対応させて接続するので、ＡＶサーバーに蓄積されている素材を同時並行的にに参照することのできる編集端末の台数が、ＡＶサーバーの入出力ポートの数によって制約されるという不都合があった。
【００１０】
放送局では、ＡＶサーバーに蓄積された各種・多量の素材を、複数台の編集端末で同時並行的に編集することが少なくない。そうした場合に、素材を同時並行的に参照することのできる編集端末の台数がこのように制約されてしまうことは、たいへん不便である。
【００１１】
また、この方法には、ＡＶサーバー内ののＲＡＩＤではＡＶデータが複数台のハードディスクドライブに分散されて記録される関係上、編集端末で多量のＡＶデータを参照する際や、編集端末で跳び跳びのフレームのＡＶデータを参照する際に、待ち時間が長くなってしまうという不都合があった。
【００１２】
編集作業では、編集対象の素材として或る程度多量のＡＶデータ（例えば或る取材現場のビデオカメラから広域ネットワークで放送局に送られてＡＶサーバーに蓄積されたＡＶデータ）の全体を編集端末で参照（プレビュー）してから、そのＡＶデータのうち編集に必要な部分を決定することがある。また、編集時には、編集端末で跳び跳びのフレームのＡＶデータを参照する（映像をフレーム単位で跳ばして見ながらイン点やアウト点を決定・修正する）ことがあるので、こともある。それらの場合に待ち時間が長くなることは、たいへん不便である。
【００１３】
本発明は、上述の点に鑑み、ＡＶサーバーに蓄積された素材を、ＡＶサーバーの入出力ポートの数に制約されずに複数台の編集端末で同時並行的に参照できるようにするとともに、ＡＶサーバーに蓄積された素材を編集端末で参照する際の待ち時間を短くすることを課題としてなされたものである。
【００１４】
【課題を解決するための手段】
この課題を解決するために、本出願人は、ＡＶサーバーに蓄積されたＡＶデータを複数台の編集端末で参照するためのシステムにおいて、このＡＶサーバー（第１のＡＶサーバーとする）と同じＡＶデータを第１のＡＶサーバーよりも高い圧縮率で圧縮して蓄積する第２のＡＶサーバーと、第１のＡＶサーバー内の記録手段よりも高速アクセスが可能であり、これらの編集端末に接続された記録装置とを備え、各編集端末は、第２のＡＶサーバーからＡＶデータを参照する第１の処理手段と、第１の処理手段によって参照したＡＶデータの中から編集に必要な部分が決定されたことに基づき、その決定された部分のＡＶデータを第１のＡＶサーバーからこの記録装置に転送することを要求する第２の処理手段と、この記録装置からＡＶデータを参照する第３の処理手段とを有する参照システムを提案する。
【００１５】
この参照システムでは、第１のＡＶサーバーに蓄積されるのと同じＡＶデータが、第１のＡＶサーバーよりも高い圧縮率でＡＶデータを圧縮する第２のＡＶサーバーにも蓄積される。また、複数台の編集端末に、第１のＡＶサーバー内の記録手段よりも高速アクセスが可能な記録装置が接続されている。
【００１６】
そして、各編集端末において、それぞれ第１の処理手段が第２のＡＶサーバーからＡＶデータを参照した後、参照したＡＶデータの中から編集に必要な部分が決定されたことに基づき、その決定された部分のＡＶデータを第１のＡＶサーバーからこの記録装置に転送することを第２の処理手段が要求し、第３の処理手段がこの記録装置からＡＶデータを参照する。
【００１７】
したがって、各編集端末で、第１のＡＶサーバーに蓄積されたＡＶデータをこの記録装置から参照することができる。これにより、第１のＡＶサーバーの入出力ポートと編集端末とを１対１に対応させて接続する場合と異なり、第１のＡＶサーバーに蓄積された素材を、第１のＡＶサーバーの入出力ポートの数に制約されずに複数台の編集端末で同時並行的に参照できるようになる。
【００１８】
また、編集対象の素材全体（編集に必要な部分を決定するための素材）は、第１のＡＶサーバーよりも高圧縮率（低解像度）の第２のＡＶサーバーから参照（プレビュー）すればよいので、直接第１のＡＶサーバーから参照する場合よりも待ち時間が短くなる。
【００１９】
そして、この参照した素材全体の中から決定した編集に必要な部分のＡＶデータのみを第１のＡＶサーバーからこの記録装置に転送すれば足りるので、編集対象の素材全体を第１のＡＶサーバーからこの記録装置に転送する場合と異なり、転送に要する時間は短くて済む。
【００２０】
さらに、この記録装置は第１のＡＶサーバー内の記録手段よりも高速アクセス可能なので、編集時に編集端末でこの記録装置から跳び跳びのフレームのＡＶデータを参照する際の待ち時間は、直接第１のＡＶサーバーから跳び跳びのフレームのＡＶデータを参照する場合よりも短くなる。
【００２１】
これにより、第１のＡＶサーバーに蓄積された素材を編集端末で参照する際の待ち時間を短くすること集端末で素材を参照する際の待ち時間も短くなる。
【００２２】
なお、この参照システムにおいて、一例として、この記録装置として、複数のファイバーチャンネルのポートを有するものを用い、この記録装置に接続されるとともに第１のＡＶサーバーに接続されており、編集端末の第２の処理手段からの要求に基づき、第１のＡＶサーバーからこの記録装置にＡＶデータを転送させるゲートウェイ端末をさらに備え、各編集端末の第２の処理手段はこのゲーウェイ端末に対して要求を送るようにすることが好適である。
【００２３】
それにより、ゲートウェイ端末・記録装置・編集端末間のＡＶデータの送受信がファイバーチャンネルによって行われるので、ファイバーチャンネルの特性を生かしたネットワーク接続を行うことにより、第１のＡＶサーバーに蓄積されたＡＶデータを、一層多い台数の編集端末が同時並行的に参照できるようになる。
【００２４】
また、このようにゲートウェイ端末・記録装置・編集端末間のＡＶデータの送受信がファイバーチャンネルによって行う場合において、一例として、ゲートウェイ端末は、記録装置がＡＶデータを書き込むファイルに、そのファイルのうちＡＶデータを書込み済みの部分を示す情報を記録させ、各編集端末の第３の処理手段は、そのファイルのうちこの情報で示された部分のＡＶデータを参照するようにすることが好適である。
【００２５】
それにより、記録装置がファイルにＡＶデータを書き込んでいる途中に編集端末で記録装置からＡＶデータを参照する場合にも、そのファイルのうちまだＡＶデータを書き込んでいない部分を参照してしまう（読み超してしまう）事態を防止できるようになる。
【００２６】
次に、本出願人は  ＡＶサーバーに蓄積されたＡＶデータを複数台の編集端末で参照する方法において、各編集端末が、ＡＶサーバー（第１のＡＶサーバー）と同じＡＶデータを第１のＡＶサーバーよりも高い圧縮率で圧縮して蓄積した第２のＡＶサーバーからＡＶデータを参照する第１のステップと、各編集端末が、この第１のステップで参照したＡＶデータの中から編集に必要な部分が決定されたことに基づき、その決定された部分のＡＶデータを、第１のＡＶサーバーから、第１のＡＶサーバー内の記録手段よりも高速アクセスが可能であり編集端末に接続された記録装置に転送することを要求する第２のステップと、各編集端末が、この記録装置からＡＶデータを参照する第３のステップとを有する参照方法を提案する。
【００２７】
この参照方法によれば、前述の本発明に係る参照システムにおけるのと全く同様にして、ＡＶサーバーに蓄積された素材を、ＡＶサーバーの入出力ポートの数に制約されずに複数台の編集端末で同時並行的に参照できるようになるとともに、ＡＶサーバーに蓄積された素材を編集端末で参照する際の待ち時間が短くなる。
【００２８】
【発明の実施の形態】
以下、本発明を図面を用いて具体的に説明する。図１は、本発明に係る参照システムの全体構成例を示す。この参照システムは、例えば放送局のニュース制作システムに適用されたものであり、ＡＶサーバー１と、ＡＶサーバー２と、複数台の編集端末３（３（１）〜３（Ｎ））と、編集端末３と同じ台数のＳＳＤ（ソリッドステートディスク）４（４（１）〜４（Ｎ））と、ゲートウェイ端末５とを含んでいる。
【００２９】
ＡＶサーバー１は、図示は省略するが、複数のＳＤＩポートや、ＲＡＩＤや、ＲＡＩＤに記録されている素材（ＡＶデータ）をリスト化して管理する管理システムや、イーサネット（登録商標）経由で通信を行うためのネットワークインタフェースや、ゲートウェイ端末５との間でＡＶデータを送受信するためのインタフェース（例えばＭＤＲと呼ばれる専用のバス）を有している。
【００３０】
ＡＶサーバー１の各ＳＤＩポートは、入力したＡＶデータを所定の圧縮レートのＡＶデータ（例えば１４４メガビット／秒）に圧縮する符号化器を含んでいる。
【００３１】
ＡＶサーバー１には、外部（放送局内のＶＴＲや、放送局と広域ネットワークで結ばれた取材現場のビデオカメラ等）からＡＶデータが供給される。ＡＶサーバー１に供給されたＡＶデータは、いずれかのＳＤＩポートに入力されて、そのＳＤＩポートで圧縮処理等を施される。そして、そのＳＤＩポートからＲＡＩＤに送られて、ＲＡＩＤに記録される。
【００３２】
ＡＶサーバー２も、図示は省略するが、ＳＤＩポートや、ＲＡＩＤや、イーサネット経由で通信を行うためのネットワークインタフェースを有している。
【００３３】
ＡＶサーバー２のＳＤＩポートは、入力したＡＶデータをＡＶサーバー１のＳＤＩポートよりも高い圧縮レートの（低解像度の）ＡＶデータ（例えば４〜８メガビット／秒）に圧縮する符号化器を含んでいる。
【００３４】
ＡＶサーバー２には、ＡＶサーバー１に供給されるのと同じＡＶデータが供給される。ＡＶサーバー２に供給されたＡＶデータは、それぞれＳＤＩポートに入力されて、ＳＤＩポートで圧縮処理等を施される。そして、ＳＤＩポートからＲＡＩＤに送られて、ＲＡＩＤに記録される。
【００３５】
ＳＳＤ４は、ソリッドステートメモリ（ＳＤＲＡＭ  ）を搭載するとともにファイバーチャンネルのポートを４つ有するストレージシステムであり、ハードディスクドライブよりも高速アクセスが可能である。
【００３６】
各編集端末３（１）〜３（Ｎ）とＳＳＤ４（１）〜４（Ｎ）とは、ファイバーチャンネルで１対１に接続されている。ゲートウェイ端末５は、ＡＶサーバー１に接続されるとともに、ＦＣ（ファイバーチャンネル）スイッチ６を介して各ＳＳＤ４にファイバーチャンネルで接続されている。
【００３７】
また、各編集端末３とゲートウェイ端末５とＡＶサーバー１とＡＶサーバー２は、イーサネット７で接続されている。
【００３８】
編集端末３は、ワークステーションのようなコンピュータで構成されている。編集端末３には、ＡＶデータの編集用のアプリケーションソフトウェアであるエディタがインストールされている。このエディタによって編集端末３に表示される操作画面には、次の（１）〜（４）の操作画面が含まれている。
【００３９】
（１）イーサネット経由でＡＶサーバー１内の管理システムから素材リストを参照して、その素材リストから編集対象の素材を選択するための操作画面。
（２）上記操作画面（１）で選択した編集対象の素材をプレビューしてその中から編集に必要な部分を決定するための操作画面。
【００４０】
（３）上記操作画面（２）で決定した部分のＡＶデータを参照して編集（イン点・アウト点の決定・修正やタイムライン上での貼付け等）を行うための操作画面。
（４）編集済みＡＶデータをＡＶサーバー１に記録するための操作画面。
【００４１】
また、編集端末３には、このエディタの他に、次のような（ａ）〜（ｃ）のような処理のソフトウェアがインストールされている。
【００４２】
（ａ）上記操作画面（１）で編集対象の素材が選択されたことに基づき、その選択された素材全体をイーサネット経由でＡＶサーバー２から参照する処理。
【００４３】
（ｂ）上記操作画面（２）で編集に必要な部分が決定されたことに基づき、その決定された部分のＡＶデータをＡＶサーバー１から対応するＳＳＤ４に転送することを、イーサネット経由でゲートウェイ端末５に対して要求する処理。
【００４４】
（ｃ）上記操作画面（３）でＡＶデータを参照する操作が行われたことに基づき、そのＡＶデータをＳＳＤ４から参照する処理。
【００４５】
（ｄ）上記操作画面（４）で編集済みＡＶデータをＡＶサーバー１に記録する操作が行われたことに基づき、その編集済みＡＶデータをＡＶサーバー１に記録することをイーサネット経由でゲートウェイ端末５に対して要求する処理。
【００４６】
ゲートウェイ端末５も、ワークステーションのようなコンピュータで構成されている。ゲートウェイ端末５には、次のような（ｅ）及び（ｆ）のような処理のソフトウェアがインストールされている。
【００４７】
（ｅ）編集端末３からの上記（ｂ）の処理による要求に基づき、ＡＶサーバー１からゲートウェイ端末５にＡＶデータを送信させ、そのＡＶデータをＳＳＤ４に送信してＳＳＤ４に記録させる処理。
【００４８】
（ｆ）編集端末３からの上記（ｄ）の処理による要求に基づき、ＳＳＤ４から編集済みＡＶデータを送信させ、その編集済みＡＶデータをＡＶサーバー１に送信してＡＶサーバー１に記録させる処理。
【００４９】
なお、ゲートウェイ端末５の上記処理（ｅ）では、ＳＳＤ４がＡＶデータを書き込むファイルのメタデータ領域に、そのファイルのうちＡＶデータを書込み済みの部分の終端を示す情報であるエンド・オブ・データ（ＥＯＤ）も記録させるようになっている。
【００５０】
また、編集端末３の上記処理（ｃ）では、ＳＳＤ４がＡＶデータを書き込んだファイルのうち、メタデータ領域のこのＥＯＤで示される終端以前の部分のＡＶデータを参照するようになっている。
【００５１】
次に、この参照システムにおいて、ＡＶサーバー１に蓄積されたＡＶデータを各編集端末３で参照する際のオペレータの操作やこの操作に基づく処理の流れについて説明する。
【００５２】
図２は操作や処理の流れを示しており、最初に、各編集端末３のオペレータが、前述の操作画面（１）上で、ＡＶサーバー１の素材リストを参照して、その素材リストの中から編集対象の素材（例えば或る取材現場のビデオカメラから広域ネットワークで放送局に送られてＡＶサーバー１に蓄積されたＡＶデータ）を選択する（ステップＳ１）。
【００５３】
すると、その編集端末３が前述の処理（ａ）を実行することにより、その選択された編集対象の素材全体が、イーサネット７経由でＡＶサーバー２から参照される（ステップＳ２）。
【００５４】
続いて、その編集端末３のオペレータが、前述の操作画面（２）上で、選択した編集対象の素材をプレビューしてその中から編集に必要な部分を決定する（ステップＳ３）。
【００５５】
すると、その編集端末３が前述の処理（ｂ）を実行することにより、その決定された部分のＡＶデータをＡＶサーバー１からその編集端末３に対応するＳＳＤ４に転送することが、イーサネット７経由でゲートウェイ端末５に対して要求される（ステップＳ４）。
【００５６】
そして、ゲートウェイ端末５がこの要求に基づいて上記処理（ｅ）を実行することにより、その決定された部分（編集に必要な部分）のＡＶデータが、ＡＶサーバー１からゲートウェイ端末５に送信され、ＳＳＤ４に記録される（その際、ＳＳＤ４がＡＶデータを書き込むファイルのメタデータ領域には前述のＥＯＤも記録される）（ステップＳ５）。
【００５７】
続いて、その編集端末３のオペレータが、前述の操作画面（３）上で、この編集に必用な部分のＡＶデータを例えば跳び跳びのフレームを指定して参照する操作を行うと、その編集端末３が前述の処理（ｃ）を実行することにより、その跳び跳びのフレームのＡＶデータがＳＳＤ４から参照される（その際、ＳＳＤ４がＡＶデータを書き込んだファイルのうち、メタデータ領域のＥＯＤで示される終端以前の部分のＡＶデータが参照される）（ステップＳ６）。
【００５８】
このようにして、ＡＶサーバー１に蓄積されたＡＶデータが各編集端末３で参照される。図３は、このＡＶデータの参照のためにＡＶサーバー１からＳＳＤ４に転送されるＡＶデータを、編集対象の素材全体と対比させて示した図である。同図Ａのように、低解像度のＡＶサーバー２から編集対象の素材全体が参照された（図２のステップＳ２）後、同図Ｂのようにこの編集対象の素材全体の中から編集に必用な部分が決定される（図２のステップＳ３）。そして、同図Ｃのように、編集対象の素材全体のうちこの編集に必要な部分だけがＡＶサーバー１からＳＳＤ４に転送される。
【００５９】
各編集端末３のオペレータが、それぞれ前述の操作画面（３）でＡＶデータを参照して編集を行った後、前述の操作画面（４）で編集済みＡＶデータをＡＶサーバー１に記録する操作を行うと、その編集端末３が前述の処理（ｄ）を実行し、それに基づいてゲートウェイ端末３が前述の処理（ｆ）を実行することにより、その編集済みＡＶデータが、ＳＳＤ４からゲートウェイ端末５を介してＡＶサーバー１に送信され、ＡＶサーバー１に記録される。
【００６０】
こうしてＡＶサーバー１に記録された編集済みＡＶデータは、ＡＶサーバー１のいずれかのＳＤＩポートから出力されて、ＡＶサーバー１から外部（オンエア用サーバーやバックアップ用サーバー等）に送られる。
【００６１】
以上のように、この参照システムでは、ＡＶサーバー１に蓄積されるのと同じＡＶデータが、ＡＶサーバー１よりも高い圧縮率でＡＶデータを圧縮するＡＶサーバー２にも蓄積される。また、複数台の編集端末３に、ＡＶサーバー１内のＲＡＩＤよりも高速アクセスが可能なＳＳＤ４が接続されている。
【００６２】
そして、各編集端末３が、ＡＶサーバー２から編集対象の素材全体を参照した後、その中から編集に必要な部分が決定されたことに基づき、その決定された部分のＡＶデータをＡＶサーバー１からＳＳＤ４に転送することを要求し、ＳＳＤ４からその編集に必要な部分のＡＶデータを参照する。
【００６３】
したがって、各編集端末３で、ＡＶサーバー１に蓄積されたＡＶデータをＳＳＤ４から参照することができる。これにより、ＡＶサーバー１のＳＤＩポートと編集端末とを１対１に対応させて接続する場合と異なり、ＡＶサーバー１に蓄積された素材を、ＡＶサーバー１のＳＤＩポートの数に制約されずに複数台の編集端末３で同時並行的に参照できるようになっている。
【００６４】
また、編集対象の素材全体（編集に必要な部分を決定するための素材）は、ＡＶサーバー１よりも高圧縮率（低解像度）のＡＶサーバー２から参照（プレビュー）するので、直接ＡＶサーバー１から参照する場合よりも待ち時間が短くなる。
【００６５】
そして、この参照した素材全体の中から決定した編集に必要な部分のＡＶデータのみをＡＶサーバー１からＳＳＤ４に転送すれば足りるので、編集対象の素材全体をＡＶサーバー１からＳＳＤ４に転送する場合と異なり、転送に要する時間は短くて済む。
【００６６】
さらに、ＳＳＤ４はＡＶサーバー１内のＲＡＩＤよりも高速アクセス可能なので、編集時に編集端末３でこのＳＳＤ４から跳び跳びのフレームのＡＶデータを参照する際の待ち時間は、直接ＡＶサーバー１から跳び跳びのフレームのＡＶデータを参照する場合よりも短くなる。
【００６７】
これにより、ＡＶサーバー１に蓄積された素材を編集端末３で参照する際の待ち時間が短くなっている。
【００６８】
また、ＳＳＤはソリッドステートメモリを用いるので一般にＲＡＩＤと比較して高価であるが、ＳＳＤ４には編集に必要な部分のＡＶデータのみを記憶するための必要最小限の容量のメモリを用いれば足りるので、ＳＳＤを設けることによるコスト増も最小限に抑えられる。
【００６９】
また、ゲートウェイ端末５・ＳＳＤ４・編集端末３間のＡＶデータの送受信がファイバーチャンネルによって行われるので、ファイバーチャンネルの特性を生かしたネットワーク接続を行うことにより、ＡＶサーバー１に蓄積されたＡＶデータを、一層多い台数の編集端末３が同時並行的に参照できるようになっている。
【００７０】
また、ゲートウェイ端末５は、ＳＳＤ４がＡＶデータを書き込むファイルのメタデータ領域に、そのファイルのうちＡＶデータを書込み済みの部分の終端を示す情報であるエンド・オブ・データ（ＥＯＤ）を記録させ、各編集端末３は、そのファイルのうち、メタデータ領域のこのＥＯＤで示される終端以前の部分のＡＶデータを参照するので、ＳＳＤ４がファイルにＡＶデータを書き込んでいる途中に編集端末３でＳＳＤ４からＡＶデータを参照する場合にも、そのファイルのうちまだＡＶデータを書き込んでいない部分を参照してしまう（読み超してしまう）事態を防止できるようになっている。
【００７１】
なお、以上の例では、各ＳＳＤ４に１台の編集端末３を接続している。しかし、ＳＳＤ４は４つのファイバーチャンネルのポートを有しているので、未使用のポートを使用して、各ＳＳＤ４に２台あるいは３台の編集端末３を接続するようにしてもよい。
【００７２】
また、以上の例では、ＳＤＩポートを有するＡＶサーバーに蓄積されたＡＶデータを参照対象にしている。しかし、これに限らず、ＳＤＩポート以外の入出力ポートを有するＡＶサーバーに蓄積されたＡＶデータを本発明による参照対象にしてもよい。
【００７３】
また、以上の例では、ＡＶサーバー１と編集端末３との間にＳＳＤ４を介在させている。しかし、別の例として、ＳＳＤ以外の記録装置であってＡＶサーバー１内のＲＡＩＤよりも高速アクセス可能な記録装置をＡＶサーバー１と編集端末３との間に介在させてもよい。
【００７４】
また、以上の例では、ニュース制作システムに本発明を適用している。しかし、これに限らず、ＡＶサーバーに蓄積されたＡＶデータを編集端末で参照する必要の或る適宜のシステム（例えば、ニュース以外の番組の制作システムや、ＣＭの制作システムや、映画の制作システム）にも本発明を適用してよい。
【００７５】
また、本発明は、以上の例に限らず、本発明の要旨を逸脱することなく、その他様々の構成をとりうることはもちろんである。
【００７６】
【発明の効果】
以上のように、本発明にによれば、ＡＶサーバーに蓄積された素材を、ＡＶサーバーの入出力ポートの数に制約されずに複数台の編集端末で同時並行的に参照できるという効果が得られるとともに、ＡＶサーバーに蓄積された素材を編集端末で参照する際の待ち時間が短くなるという効果が得られる。
【００７７】
また、ファイバーチャンネルの特性を生かしたネットワーク接続を行うことにより、ＡＶサーバーに蓄積されたＡＶデータを、一層多い台数の編集端末が同時並行的に参照できるようになるという効果も得られる。
【００７８】
また、記録装置がファイルにＡＶデータを書き込んでいる途中に編集端末で記録装置からＡＶデータを参照する場合にも、そのファイルのうちまだＡＶデータを書き込んでいない部分を参照してしまう事態を防止できるという効果も得られる。
【図面の簡単な説明】
【図１】本発明に係る参照システムの全体構成を示す図である。
【図２】図１のシステムでの操作・処理の流れを示す図である。
【図３】図１のシステムでＡＶサーバー１からＳＳＤ４に転送されるＡＶデータを示す図である。
【符号の説明】
１  ＡＶサーバー、  ２  低解像度のＡＶサーバー、  ３（１）〜３（Ｎ）  編集端末、  ４（１）〜４（Ｎ）  ＳＳＤ、  ５  ゲートウェイ端末、  ６  ＦＣスイッチ、  ７  イーサネット
【図１】
2004173200.tif 000003
【図２】
2004173200.tif 000004
【図３】
2004173200.tif 000005